(57)【要約】【課題】ワイヤレスヘッドホン及びスピーカからの音声出力が可能な携帯端末機器において、音声の出力形態を、ユーザの動作に合わせて自動的に切り替えることが可能とする。【解決手段】機器本体部１において、発光素子１２１ａ／１２２ａにより発光された光の反射光が第１受光素子１２１ｂ／１２２ｂにより受光された場合に、送信機１２に操作者の手が触れたと判定し、送信機１２に操作者の手が触れたと判定されない場合に内蔵スピーカ９から音声を出力させ、送信機１２に操作者の手が触れたと判定された場合に第１送信機１２１又は第２送信機１２２の何れに操作者の手が触れたかを判定し、当該判定結果に基づいて、発光素子１２１ａ／１２２ｂから受信機２に対して音声信号を送信する。そして、受信機２において、第２受光素子２１１により受信された音声信号に基づく音声をヘッドホン２２から出力させる。【選択図】図１
2008301061.tif 000002
【特許請求の範囲】
【請求項１】
音声信号を送信する送信機及び音声を出力する音声出力部を備える機器本体部と、前記送信機から送信された音声信号を無線受信する受信機と、を備えて構成される携帯端末機器において、
前記送信機は、
第１送信機及び第２送信機から成るとともに、当該第１送信機及び当該第２送信機の各々が、発光素子及び受光素子を備えて成り、
前記機器本体部は、
前記発光素子により発光された光の反射光が前記受光素子により受光された場合に、前記送信機に操作者の手が触れたと判定する第１判定手段と、
前記第１判定手段により、前記送信機に操作者の手が触れたと判定されない場合に、前記音声出力部から、音声を出力させる第１音声出力制御手段と、
前記第１判定手段により、前記送信機に操作者の手が触れたと判定された場合に、前記発光素子から前記受信機に対して、音声信号を送信させる音声送信制御手段と、
を備え、
前記受信機は、
前記音声送信制御手段により、前記発光素子から送信された前記音声信号を受信する受信手段と、
前記受信手段により受信された前記音声信号に基づく音声を、ヘッドホンから出力させる第２音声出力制御手段と、
を備えることを特徴とする携帯端末機器。
【請求項２】
前記機器本体部は、略長方形に形成されるとともに、画像を表示する表示パネルと、所定の操作を行うための操作部とが、長辺方向に並んで設けられ、
前記第１送信機及び前記第２送信機は、前記機器本体部における前記操作部側の２つの角部に各々配置され、
前記第１判定手段により、前記送信機に操作者の手が触れたと判定された場合に、前記第１送信機又は前記第２送信機の何れに操作者の手が触れたかに基づいて、前記携帯端末機器の左右方向を決定する決定手段と、
前記決定手段により決定された向きに合わせて、前記表示パネルに画像を表示させる表示制御手段と、
を備えることを特徴とする請求項１に記載の携帯端末機器。
【請求項３】
音声信号を送信する送信機及び音声を出力する音声出力部を備える機器本体部と、前記送信機から送信された音声信号を無線受信する受信機と、を備えて構成される携帯端末機器において、
前記送信機は、
前記機器本体部における前記操作部側の２つの角部に各々配置される第１送信機及び第２送信機から成るとともに、当該第１送信機及び当該第２送信機の各々が、発光素子及び第１受光素子を備えて成り、
前記機器本体部は、
略長方形に形成されるとともに、画像を表示する表示パネルと、所定の操作を行うための操作部とが、長辺方向に並んで設けられ、
前記発光素子により発光された光の反射光が前記第１受光素子により受光された場合に、前記送信機に操作者の手が触れたと判定する第１判定手段と、
前記第１判定手段により、前記送信機に操作者の手が触れたと判定されない場合に、前記音声出力部から、音声を出力させる第１音声出力制御手段と、
前記第１判定手段により、前記送信機に操作者の手が触れたと判定された場合に、前記第１送信機又は前記第２送信機の何れに操作者の手が触れたかを判定する第２判定手段と、
前記第２判定手段による判定結果に基づいて、操作者の手が触れていない第１送信機又は第２送信機の前記発光素子から、前記受信機に対して、音声信号を送信させる音声送信制御手段と、
前記第１判定手段により、前記送信機に操作者の手が触れたと判定された場合に、前記第２判定手段による判定結果に基づいて、前記携帯端末機器の左右方向を決定する決定手段と、
前記決定手段により決定された向きに合わせて、前記表示パネルに画像を表示させる表示制御手段と、
を備え、
前記受信機は、
前記音声送信制御手段により、前記発光素子から送信された前記音声信号を受信する第２受光素子と、
前記第２受光素子により受信された前記音声信号に基づく音声を、ヘッドホンから出力させる第２音声出力制御手段と、
を備えることを特徴とする携帯端末機器。
【発明の詳細な説明】
【技術分野】
【０００１】
本発明は、携帯端末機器に関する。
【背景技術】
【０００２】
従来、発光素子ＬＥＤからの光信号により、音声情報を送信する光無線通信装置が知られている（例えば、特許文献１参照）。
このような音声信号の無線伝送技術を持ち運び可能な携帯端末機器に適用すれば、電車の中等においてワイヤレスヘッドホンで音声を聴くことができ、ヘッドホンのコードが手に絡まるといった不都合を回避することができる。
【特許文献１】実開平６−６６１４８号公報
【発明の開示】
【発明が解決しようとする課題】
【０００３】
しかしながら、ワイヤレスヘッドホンからの音声出力に加えて、スピーカからの音声出力も可能な携帯端末機器では、音声の出力形態を切り替える操作が必要となるため、切替操作に時間を要したり、操作が煩雑であったりして、使い勝手が悪いという問題があった。
【０００４】
本発明の課題は、ワイヤレスヘッドホン及びスピーカからの音声出力が可能な携帯端末機器において、音声の出力形態を、ユーザの動作に合わせて自動的に切り替えることができる携帯端末機器を提供することである。
【課題を解決するための手段】
【０００５】
上記課題を解決するため、請求項１に記載の発明は、音声信号を送信する送信機及び音声を出力する音声出力部を備える機器本体部と、前記送信機から送信された音声信号を無線受信する受信機と、を備えて構成される携帯端末機器において、
前記送信機は、
第１送信機及び第２送信機から成るとともに、当該第１送信機及び当該第２送信機の各々が、発光素子及び受光素子を備えて成り、
前記機器本体部は、
前記発光素子により発光された光の反射光が前記受光素子により受光された場合に、前記送信機に操作者の手が触れたと判定する第１判定手段と、
前記第１判定手段により、前記送信機に操作者の手が触れたと判定されない場合に、前記音声出力部から、音声を出力させる第１音声出力制御手段と、
前記第１判定手段により、前記送信機に操作者の手が触れたと判定された場合に、前記発光素子から前記受信機に対して、音声信号を送信させる音声送信制御手段と、
を備え、
前記受信機は、
前記音声送信制御手段により、前記発光素子から送信された前記音声信号を受信する受信手段と、
前記受信手段により受信された前記音声信号に基づく音声を、ヘッドホンから出力させる第２音声出力制御手段と、
を備えることを特徴とする。
【０００６】
請求項２に記載の発明は、請求項１に記載の携帯端末機器において、前記機器本体部は、略長方形に形成されるとともに、画像を表示する表示パネルと、所定の操作を行うための操作部とが、長辺方向に並んで設けられ、
前記第１送信機及び前記第２送信機は、前記機器本体部における前記操作部側の２つの角部に各々配置され、
前記第１判定手段により、前記送信機に操作者の手が触れたと判定された場合に、前記第１送信機又は前記第２送信機の何れに操作者の手が触れたかに基づいて、前記携帯端末機器の左右方向を決定する決定手段と、
前記決定手段により決定された向きに合わせて、前記表示パネルに画像を表示させる表示制御手段と、
を備えることを特徴とする。
【０００７】
請求項３に記載の発明は、音声信号を送信する送信機及び音声を出力する音声出力部を備える機器本体部と、前記送信機から送信された音声信号を無線受信する受信機と、を備えて構成される携帯端末機器において、
前記送信機は、
前記機器本体部における前記操作部側の２つの角部に各々配置される第１送信機及び第２送信機から成るとともに、当該第１送信機及び当該第２送信機の各々が、発光素子及び第１受光素子を備えて成り、
前記機器本体部は、
略長方形に形成されるとともに、画像を表示する表示パネルと、所定の操作を行うための操作部とが、長辺方向に並んで設けられ、
前記発光素子により発光された光の反射光が前記第１受光素子により受光された場合に、前記送信機に操作者の手が触れたと判定する第１判定手段と、
前記第１判定手段により、前記送信機に操作者の手が触れたと判定されない場合に、前記音声出力部から、音声を出力させる第１音声出力制御手段と、
前記第１判定手段により、前記送信機に操作者の手が触れたと判定された場合に、前記第１送信機又は前記第２送信機の何れに操作者の手が触れたかを判定する第２判定手段と、
前記第２判定手段による判定結果に基づいて、操作者の手が触れていない第１送信機又は第２送信機の前記発光素子から、前記受信機に対して、音声信号を送信させる音声送信制御手段と、
前記第１判定手段により、前記送信機に操作者の手が触れたと判定された場合に、前記第２判定手段による判定結果に基づいて、前記携帯端末機器の左右方向を決定する決定手段と、
前記決定手段により決定された向きに合わせて、前記表示パネルに画像を表示させる表示制御手段と、
を備え、
前記受信機は、
前記音声送信制御手段により、前記発光素子から送信された前記音声信号を受信する第２受光素子と、
前記第２受光素子により受信された前記音声信号に基づく音声を、ヘッドホンから出力させる第２音声出力制御手段と、
を備えることを特徴とする。
【発明の効果】
【０００８】
本発明によれば、携帯端末機器において、音声信号を送信する送信機及び音声を出力する音声出力部を備える機器本体部と、前記送信機から送信された音声信号を無線受信する受信機と、が備わり、送信機は第１送信機及び第２送信機から成るとともに、当該第１送信機及び当該第２送信機の各々が、発光素子及び受光素子を備え、機器本体部において、発光素子により発光された光の反射光が受光素子により受光された場合に、第１判定手段により、送信機に操作者の手が触れたと判定され、第１判定手段により、送信機に操作者の手が触れたと判定されない場合に、第１音声出力制御手段により、音声出力部から、音声が出力され、第１判定手段により、送信機に操作者の手が触れたと判定された場合に、発光素子から受信機に対して、音声信号が送信され、受信機において、受信手段により、音声送信制御手段により、発光素子から送信された音声信号が受信され、第２音声出力制御手段により、受信手段により受信された音声信号に基づく音声が、ヘッドホンから出力される。
すなわち、ヘッドホンから音声出力を行う場合には、機器本体部を手に持って使用すれば、音声の出力形態を切り替えるための操作を行わなくても、自動的にヘッドホンから音声出力が行われる。一方、音声出力部（スピーカ）から音声を出力させる場合には、機器本体部を手に持たずに使用すれば、音声の出力形態を切り替えるための操作を行わなくても、自動的に音声出力部（スピーカ）から音声出力が行われる。したがって、ワイヤレスヘッドホン及びスピーカからの音声出力が可能な携帯端末機器において、音声の出力形態を、ユーザの動作に合わせて自動的に切り替えることが可能となる。
【発明を実施するための最良の形態】
【０００９】
以下、本発明の実施の形態について、図面を参照しながら説明を行う。本実施形態では、携帯端末機器として、テレビジョン放送を視聴することができる携帯型テレビジョン受像機について説明を行う。しかしながら、携帯端末機器はこれに限られることなく、携帯電話機、ＰＤＡ（Personal Digital Assistants）、携帯可能なノート型ＰＣ（Personal Computer）等であっても良い。
【００１０】
まず、本実施形態の携帯型テレビジョン受像機１００の全体構成について、図１を参照しながら説明する。
本実施形態の携帯型テレビジョン受像機１００は、例えば、図１に示すように、略長方形に形成される機器本体部１と、受信機２２から構成される。
機器本体部１の長辺方向には、テレビジョン放送の映像（画像）を表示する表示パネル８と、ユーザが操作を行うための操作部１０とが並んで設けられ、操作部１０側の２つの角部には、それぞれ、第１送信機（送信機）１２１と、第２送信機（送信機）１２２が備わる。また、機器本体部１には、音声出力部としての内蔵スピーカ９が内蔵されており、テレビジョン放送の音声が当該内蔵スピーカ９から出力される。
【００１１】
受信機２の前面部には、機器本体部１の第１送信機１２１又は第２送信機１２２から、ＩｒＤＡ（Infrared Data Association）インターフェース等によって無線送信される音声信号を受信する受信手段としての第２受光素子２１１が備わる。また、受信機２にはヘッドホン２２が備わり、第２受光素子２１１により受信された音声信号に基づく音声が当該ヘッドホン２２から出力される。
【００１２】
上述のように、携帯型テレビジョン受像機１００では、受信機２のヘッドホン２２から音声を出力する形態と、機器本体部１の内蔵スピーカ９から音声を出力させる形態の、２通りの音声出力形態により、テレビジョン番組の視聴を行うことができる。
本発明における携帯型テレビジョン受像機１００では、ヘッドホン２２から音声出力を行う場合には、機器本体部１を手に持って使用し、一方、内蔵スピーカ９から音声を出力させる場合には、機器本体部１を手に持たずに使用する。そして、機器本体部１に、ユーザの手が触れたことを検出する機能を持たせることにより、ユーザが機器本体部１を手に持って使用しているか、或いは、手に持たずに使用しているかを判定し、その判定に応じて音声出力形態を切り替えることにより、テレビジョン受像機を使用するユーザの動作に合わせて自動的に音声出力形態を切り替えることが可能となる。
【００１３】
ここで、図２は、ヘッドホン使用時における携帯型テレビジョン受像機１００の使用例である。ユーザは、ヘッドホン２２から音声出力を行う場合、図２に示すように、ヘッドホン２２を装着するとともに、ヘッドホン２２とコード部２３で接続される受信機本体部２１の第２受光素子２１１が、機器本体部１の第１送信機１２１又は第２送信機１２２から無線送信される音声信号を受信可能な範囲となるように、機器本体部１を手に持って使用する。
【００１４】
（機器本体部の構成）
次に、携帯型テレビジョン受像機１００の機器本体部１の要部構成について、図３を参照しながら説明する。
機器本体部１は、例えば、テレビジョン放送信号を受信するアンテナ３と、アンテナ３から入力された所定の周波数の音声・映像信号を選局するチューナ４と、チューナ４により選局された映像信号を復調する復調部５と、復調部５により復調された映像信号をデコードするデコーダ部６と、映像信号及び音声信号に対して所定の映像処理を行う信号処理部７と、映像を表示する表示パネル８と、音声を出力する内蔵スピーカ９と、ユーザが操作を行うための操作部１０と、ＩｒＤＡインターフェース１１と、第１送信機１２１及び第２送信機１２２を備えて成る送信機１２と、機器本体部１全体を統括制御する制御部１３と、等を備えて構成される。
【００１５】
アンテナ３は、例えば、機器本体部１に内蔵され、図示しないテレビジョン放送局から発信される高周波（ＲＦ）のテレビジョン放送信号である音声・映像信号を受信する。
チューナ４は、例えば、図示は省略するが、高周波増幅回路と、局部発振回路及び混合回路から成る周波数変換回路と、を備えて構成されており、アンテナ３等により入力されたテレビジョン放送信号を、高周波増幅回路において増幅し、混合回路において局部発振回路から出力される局部発振信号と混合し、さらに、特定の周波数を選局するための制御部１３からの制御信号に応じて、特定周波数帯の中間周波信号（IF信号）を受信し、当該中間周波信号に所定の処理を行って復調部５に出力する。
復調部５は、例えば、制御部１３の制御に従い、チューナ４から出力された中間周波信号に対してＯＦＤＭ（Orthogonal Frequency Division Multiplexing;直交周波数分割多重）復調や誤り訂正などの処理を実行し、トランスポートストリーム（TS）を生成して、デコーダ部６に出力する。
デコーダ部６は、例えば、復調部５から入力されたトランスポートストリームを、図示しないＴＳデコーダにおいて、ＭＰＥＧ２（Moving Picture Experts Group 2）規格下のビデオストリーム、オーディオストリーム及びＰＳＩ／ＳＩ（Program Specific Information/Service Information）等に分離するとともに、ビデオストリームを図示しないビデオデコーダに、オーディオストリームを図示しないオーディオデコーダに出力し、さらに、ＰＳＩ／ＳＩに含まれるデータを制御部１３に供給する。ビデオデコーダは、ＴＳデコーダから入力されたビデオストリームを復号し、逆ＤＣＴ変換や動き補償制御等を行い、映像データを生成して、信号処理部７に出力する。また、オーディオデコーダは、ＴＳデコーダから入力されたオーディオストリームを復号し、音声データを生成して信号処理部７に出力する。
信号処理部７は、図示しない映像処理部を備え、ビデオデコーダから入力された映像データに対して、画質調整等の各種の映像処理を行い、映像信号を生成して表示パネル８に出力する。また、信号処理部７は、図示しない音声処理部を備え、後述の音声送信制御プログラム１３４ｄの実行に際して、オーディオデコーダから入力された音声データを、ＩｒＤＡインターフェース１１に出力する。また、後述の第１音声出力制御プログラム１３４ｂの実行に際して、オーディオデコーダから入力された音声データに対して、Ｄ／Ａ変換、増幅等の各種処理を行い、内蔵スピーカ９に出力する。
【００１６】
表示パネル８は、例えば、液晶ディスプレイ、ＥＬ（Electro Luminescence）ディスプレイ、ＬＥＤ（Light Emitting Diode）ディスプレイ等であり、信号処理部７から出力される映像信号に基づく映像を表示する。
内蔵スピーカ９は、信号処理部７から出力される音声信号に基づく音声を出力する。
【００１７】
操作部１０は、例えば、図１に示すように、上下左右対称に配置された複数の操作キーＳＷ１〜ＳＷ５を備えて構成される。操作キーは、例えば、表示パネル８の画像における上下左右方向の移動を指示するための十字キーＳＷ１〜ＳＷ４や、十字キーの中央に設けられた電源キーＳＷ５等であり、ユーザによる操作キーＳＷ１〜ＳＷ５の押下操作に基づいて、押下された操作キーに対応する入力操作信号を制御部１３に出力する。
【００１８】
ＩｒＤＡインターフェース１１は、信号処理部７から出力される音声データに対して変調処理を行い、ＩｒＤＡ規格下の音声信号を生成して、送信機１２に出力する。
【００１９】
送信機１２は、例えば、第１送信機１２１及び第２送信機１２２から構成される。
第１送信機１２１及び第２送信機１２２のそれぞれは、例えば、赤外線等の光を発光する発光素子１２１ａ／１２２ａと、発光素子１２１ａ／１２２ａにより発光された光の反射光を検出する第１受光素子（受光素子）１２１ｂ／１２２ｂとを備えて成る。発光素子１２１ａ、１２２ａとしてはＬＥＤ等が用いられ、また、第１受光素子１２１ｂ、１２２ｂにはフォトダイオード、フォトトランジスタ、ＣｄＳ等が適用される。
【００２０】
第１送信機１２１に備わる発光素子１２１ａ及び第１受光素子１２１ｂ、及び、第２送信機１２２に備わる発光素子１２２ａ及び第１受光素子１２２ｂのそれぞれは、互いに対向するように配置され、操作者の手がこれらの第１送信機１２１／第２送信機１２２の上方を塞いでいる場合には、発光素子１２１ａ／１２１ｂから照射された光が操作者の手で反射され、第１受光素子１２１ｂ／１２２ｂにより受光される。第１受光素子１２１ｂ／１２２ｂにより受光された光は、図示しない光電変換回路において電気信号に変換され、所定の閾値以上の光が検出された場合に、第１受光素子１２１ｂ／１２２ｂから光電変換回路を介して所定の検出信号が制御部１３に出力される。例えば、第１受光素子１２１ｂ／１２２ｂにおいて所定の閾値以上の光が検出されない場合には「Ｌ（Low）」レベルの信号が制御部１３に出力され、所定の閾値以上の光が検出された場合には「Ｈ（High）」レベルの検出信号が制御部１３に出力されるようになっている。
第１受光素子１２１ｂ／１２２ｂから出力される「Ｈ」レベル又は「Ｌ」レベルの信号は、後述する第１判定プログラム１３４ａ及び第２判定プログラム１３４ｃの実行に際して、送信機１２に操作者の手が触れたことの検出と、操作者の手が触れた方の送信機１２の判定に利用される。
【００２１】
制御部１３は、ＣＰＵ（Central Processing Unit）１３１、メモリ部１３２、ＲＯＭ（Read Only Memory）１３４等を備えて構成されている。
【００２２】
ＣＰＵ１３１は、機器本体部１の各部から入力された入力信号に応じて、ＲＯＭ１３４に格納された各種プログラムを実行するとともに、実行にかかるプログラムに基づいて各部に出力信号を出力することにより、機器本体部１の動作全般を統括制御する。
【００２３】
メモリ部１３２は、例えば、ＲＡＭ（Random Access Memory）等の揮発性メモリからなるワークエリア１３２１を備えており、ＣＰＵ１３１によって各種プログラムが実行される際に生じる処理結果や、入力されたデータ等をこのワークエリア１３２１に記憶させる。
【００２４】
また、メモリ部１３２は、ＥＰＲＯＭ（Erasable Programmable ROM）等の不揮発性メモリからなるデータエリア１３２２を備えている。データエリア１３２２には、例えば、操作設定テーブル１３２２ａが記憶される。
操作設定テーブル１３２２ａは、携帯型テレビジョン受像機１００が、後述する右手モード／左手モードのうちの何れかのモードで使用されている場合における、各モードに対応付けられた各操作キーＳＷ１〜５の操作内容を記憶する。この操作設定テーブル１３２２ａについては、後述するキー操作設定プログラム１３４ｇの説明において詳細に説明する。
【００２５】
ＲＯＭ１３４は、例えば、不揮発性メモリからなるプログラム格納エリアを有しており、具体的には、第１判定プログラム１３４ａ、第１音声出力制御プログラム１３４ｂ、第２判定プログラム１３４ｃ、音声送信制御プログラム１３４ｄ、決定プログラム１３４ｅ、表示制御プログラム１３４ｆ、キー操作設定プログラム１３４ｇ等を格納している。
【００２６】
第１判定プログラム１３４ａは、例えば、ＣＰＵ１３１に、発光素子１２１ａ／１２１ｂにより発光された光の反射光が第１受光素子１２１ｂ／１２２ｂにより受光された場合に、送信機１２に操作者の手が触れたと判定する機能を実現させるためのプログラムである。
具体的には、ＣＰＵ１３１は、第１送信機１２１及び第２送信機１２２のそれぞれから出力される信号を監視している。そして、第１送信機１２１及び第２送信機１２２の何れか一方から、操作者の手が触れたことを示す「Ｈ」レベルの検出信号が、所定時間（例えば、３秒間）以上にわたって検出された場合、ＣＰＵ１３１は、送信機１２に操作者の手が触れたと判定する。
すなわち、ユーザが、機器本体部１を手に持たないで視聴を行う場合には、送信機１２に操作者の手が触れていないと判定される。一方、ユーザが、機器本体部１を手に持って視聴を行う場合には、送信機１２に操作者の手が触れていると判定されることとなる。
ＣＰＵ１３１は、かかる第１判定プログラム１３４ａを実行することにより、第１判定手段として機能する。
【００２７】
第１音声出力制御プログラム１３４ｂは、例えば、ＣＰＵ１３１に、第１判定プログラム１３４ａの実行により、送信機１２に操作者の手が触れたと判定されない場合に、内蔵スピーカ９から音声を出力させる機能を実現させるためのプログラムである。
具体的には、ＣＰＵ１３１は、テレビジョン番組の視聴に際して、前述の第１判定プログラム１３４ａの実行において、送信機１２に操作者の手が触れていないと判定すると、テレビジョン放送信号に基づく音声を、機器本体部１に内蔵される内蔵スピーカ９から出力させる。
ＣＰＵ１３１は、かかる第１音声出力制御プログラム１３４ｂを実行することにより、第１音声出力制御手段として機能する。
【００２８】
第２判定プログラム１３４ｃは、例えば、ＣＰＵ１３１に、第１判定プログラム１３４ａの実行により、送信機１２に操作者の手が触れたと判定された場合に、第１送信機１２１又は第２送信機１２２の何れに操作者の手が触れたかを判定する機能を実現させるためのプログラムである。
具体的には、ＣＰＵ１３１は、テレビジョン番組の視聴に際して、前述の第１判定プログラム１３４ａの実行において、送信機１２に操作者の手が触れていると判定すると、送信機１２に備わる第１送信機１２１と第２送信機１２２のうち、何れに操作者の手が触れたかを判定する。ＣＰＵ１３１は、送信機１２から出力された検出信号が、第１送信機１２１と第２送信機１２２の何れから出力されたかによって、判定を行う。すなわち、第１受光素子１２１ｂから、操作者の手が触れたことを示す「Ｈ」レベルの検出信号が出力された場合には、第１送信機１２１に操作者の手が触れたと判定し、第１受光素子１２２ｂから操作者の手が触れたことを示す「Ｈ」レベルの検出信号が出力された場合には、第２送信機１２２に操作者の手が触れたと判定する。
ＣＰＵ１３１は、かかる第２判定プログラム１３４ｃを実行することにより、第２判定手段として機能する。
【００２９】
音声送信制御プログラム１３４ｄは、例えば、ＣＰＵ１３１に、第２判定プログラム１３４ｃの実行による判定結果に基づいて、操作者の手が触れていない第１送信機１２１又は第２送信機１２２の発光素子１２１ａ／１２１ｂから、受信機２に対して、音声信号を送信させる機能を実現させるためのプログラムである。
具体的には、ＣＰＵ１３１は、第２判定プログラム１３４ｃの実行において、送信機１２に備わる第１送信機１２１と第２送信機１２２の何れに、操作者の手が触れたかを判定すると、操作者の手が触れていない方の送信機１２１／１２２に備わる発光素子１２１ａ／１２１ｂから、テレビジョン放送信号に基づく音声信号を赤外線として出力する。
ＣＰＵ１３１は、かかる音声送信制御プログラム１３４ｄを実行することにより、音声送信制御手段として機能する。
【００３０】
決定プログラム１３４ｅは、例えば、ＣＰＵ１３１に、第１判定プログラム１３４ａの実行により、送信機１２に操作者の手が触れたと判定された場合に、第２判定プログラム１３４ｃの実行による判定結果に基づいて、携帯型テレビジョン受像機１００の左右方向を決定する機能を実現させるためのプログラムである。
具体的には、ＣＰＵ１３１は、テレビジョン番組の視聴に際して、第１判定プログラム１３４ａの実行において、送信機１２に操作者の手が触れていると判定し、第２判定プログラム１３４ｃの実行において、送信機１２に備わる第１送信機１２１と第２送信機１２２のうち、何れの送信機に操作者の手が触れたかを判定すると、機器本体部１が使用されている左右方向の向きを決定する。ＣＰＵ１３１は、検出信号が第１送信機１２１から出力された場合には、機器本体部１において第１送信機１２１及び第２送信機１２２が設けられた角部側は右方向であると判定し、携帯型テレビジョン受像機１００は右手で使用されているとして、右手モードを設定する。一方、ＣＰＵ１３１は、検出信号が第２送信機１２２から出力された場合には、機器本体部１において第１送信機１２１及び第２送信機１２２が設けられた角部側は左方向であると判定し、携帯型テレビジョン受像機１００は左手で使用されているとして左手モードを設定する。
ＣＰＵ１３１は、かかる決定プログラム１３４ｅを実行することにより、決定手段として機能する。
【００３１】
表示制御プログラム１３４ｆは、例えば、ＣＰＵ１３１に、決定プログラム１３４ｅの実行により決定された向きに合わせて、表示パネル８に映像を表示させる機能を実現させるためのプログラムである。
具体的には、ＣＰＵ１３１は、第２判定プログラム１３４ｃの実行において、携帯型テレビジョン受像機１００が使用されている向きが判定され、右手モード、又は、左手モードの何れかが設定されると、テレビジョン放送信号に基づく映像を、設定されたモードに合わせて表示パネル８に表示させる。
ＣＰＵ１３１は、かかる表示制御プログラム１３４ｆを実行することにより、表示制御手段として機能する。
【００３２】
ここで、当該表示制御プログラム１３４ｆの実行における画像の表示方法について、図４を参照しながら説明する。
例えば、決定プログラム１３４ｅの実行により、第１送信機１２１及び第２送信機１２２が設けられた角部側が右方向であると決定されて右手モードが設定された場合に、ＣＰＵ１３１は、図４（ａ）に示すように、手が触れたことを検出した第１送信機１２１が下側となって、一方の第２送信機１２２が上側となる方向に、映像を表示させる。これにより、操作者は、携帯型テレビジョン受像機１００を右手で持って、視聴を行うことができる。
また、決定プログラム１３４ｅの実行により、第１送信機１２１及び第２送信機１２２が設けられた角部側が左方向であると決定されて左手モードが設定された場合に、ＣＰＵ１３１は、図４（ｂ）に示すように、手が触れたことを検出した第２送信機１２２が下側となって、一方の第１送信機１２１が上側となる方向に、映像を表示させる。これにより、操作者は、携帯型テレビジョン受像機１００を左手で持って、視聴を行うことができる。
【００３３】
キー操作設定プログラム１３４ｇは、例えば、ＣＰＵ１３１に、決定プログラム１３４ｅの実行により決定された向きに合わせて、操作部１０における操作キーＳＷ１〜ＳＷ５の操作内容を設定し、設定した操作内容に応じた制御を行う機能を実現させるためのプログラムである。
具体的には、ＣＰＵ１３１は、決定プログラム１３４ｅの実行において、携帯型テレビジョン受像機１００が使用されている向きを判定して、右手モード／左手モードを設定すると、操作設定テーブル１３２２ａを参照し、設定したモードに合わせて操作部１０に備わる各操作キーＳＷ１〜ＳＷ５の操作内容を設定する。そして、操作された操作キーに対して、設定した操作内容に応じた制御を行う。
【００３４】
図５は、メモリ部１３２のデータエリア１３２２に記憶される操作設定テーブル１３２２ａを例示する図である。図５に示すように、操作設定テーブル１３２２ａでは、操作部１０に備わる操作キーＳＷ１〜ＳＷ５のそれぞれに対して、右手モード／左手モードの各モードにおける操作内容が記憶されている。ＣＰＵ１３１は、右手モード又は左手モードが設定されてユーザのキー操作が行われると、当該操作設定テーブル１３２２ａを参照して、設定されたモードにおける操作された操作キーに対応付けられた操作内容の制御を行う。すなわち、例えば、十字キーを構成する操作キーＳＷ１が、右手モードが設定されている場合に操作されると、ＣＰＵ１３１は、「上」の操作を指示する操作キーが押下されたと判断して制御を行う。一方、この操作キーＳＷ１が、左手モードが設定されている場合に操作されると、ＣＰＵ１３１は、「下」の操作を指示する操作キーが押下されたと判断して制御を行う。これにより、操作者は、携帯型テレビジョン受像機１００を使用する場合に、機器本体部１の向きを意識することなく、操作キーの操作を行うことができる。
【００３５】
（受信機の構成）
次に、携帯型テレビジョン受像機１００の受信機２の要部構成について、図６を参照しながら説明する。
受信機２は、受信機本体部２１及びヘッドホン２２から構成され、受信機本体部２１とヘッドホン２２は、コード部２３により接続される。
【００３６】
受信機本体部２１は、第２受光素子２１１、ＩｒＤＡインターフェース２１２、制御部２１３を備える。
【００３７】
第２受光素子２１１は、前述の音声送信制御プログラム１３４ｄの実行において、機器本体部１の第１送信機１２１の発光素子１２１ａ又は第２送信機１２２の発光素子１２２ａのうち、操作者の手が触れていない方の発光素子１２１ａ／１２２ａから無線送信された音声信号を受信して、受信した音声信号をＩｒＤＡインターフェース２１２に送信する。
ＩｒＤＡインターフェース２１２は、信号処理部７から出力される音声信号に対して復調処理を行い、復調した音声信号を、コード部２３を介してヘッドホン２２に出力する。
【００３８】
制御部２１３は、ＣＰＵ２１３１、メモリ２１３２、ＲＯＭ２１３３等を備えて構成されている。
【００３９】
ＣＰＵ２１３１は、受信機本体部２１の各部から入力された入力信号によって入力された入力操作信号等に応じて、ＲＯＭ２１３３に格納された各種プログラムを実行するとともに、実行にかかるプログラムに基づいて機器本体部１の各部に出力信号を出力することにより、受信機２の動作全般を統括制御する。
【００４０】
メモリ２１３２は、例えば、ＲＡＭ等の揮発性メモリからなるワークエリア（図示省略）を備えており、ＣＰＵ２１３１によって各種プログラムが実行される際に生じる処理結果や、入力されたデータ等をこのワークエリアに記憶させる。また、メモリ２１３２は、ＥＰＲＯＭ等の不揮発性メモリからなるデータエリア（図示省略）を備えている。
【００４１】
ＲＯＭ２１３３は、例えば、不揮発性メモリからなるプログラム格納エリアを有しており、具体的には、第２音声出力制御プログラム２１３３ａを記憶している。
【００４２】
第２音声出力制御プログラム２１３３ａは、例えば、ＣＰＵ２１３１に、第２受光素子２１１により受信された音声信号に基づく音声を、ヘッドホン２２から出力させる機能を実現させるためのプログラムである。
具体的には、ユーザが機器本体部１を手に持って視聴を行う場合に、前述の音声送信制御プログラム１３４ｄの実行により、機器本体部１の発光素子１２１ａ／１２２ａから送信されたテレビジョン放送の音声信号が、受信機本体部２１の前面部に設けられた第２受光素子２１１において受信されると、ＣＰＵ２１３１は、受信した音声信号を、ＩｒＤＡインターフェース２１２において復調する。そして、復調した音声信号をコード部２３を介してヘッドホン２２に伝送して、ヘッドホン２２から音声を出力させる。
ＣＰＵ２１３１は、かかる第２音声出力制御プログラム２１３３ａを実行することにより、第２音声出力制御手段として機能する。
【００４３】
すなわち、ユーザが、機器本体部１を手に持たずにテレビジョン番組の視聴を行えば、上述の第１判定プログラム１３４ａ及び第１音声出力制御プログラム１３４ｂの実行により、内蔵スピーカ９から音声が出力されることとなる。
一方、ユーザが、機器本体部１を手に持ってテレビジョン番組の視聴を行えば、前述の第１判定プログラム１３４ａ、第２判定プログラム１３４ｃ、音声送信制御プログラム１３４ｄ、第２音声出力制御プログラム２１３３ａの実行により、機器本体部１から受信機２に対して音声信号が送信され、ヘッドホン２２から音声が出力されることとなる。
よって、テレビジョン番組を視聴するユーザの動作に合わせて、音声の出力形態が自動的に切り替わるため、ユーザは、音声の出力形態を切り替えるための操作を行わなくても、所望の音声出力形態で視聴を行うことができる。
【００４４】
以上説明した本実施形態における携帯型テレビジョン受像機１００によれば、送信機１２は、機器本体部１における操作部１０側の２つの角部に各々配置される第１送信機１２１及び第２送信機１２２から成るとともに、第１送信機１２１及び第２送信機１２２の各々が、発光素子１２１ａ／１２２ａ及び第１受光素子１２１ｂ／１２２ｂを備えて成り、機器本体部１は、略長方形に形成されるとともに、画像を表示する表示パネル８と、所定の操作を行うための操作部１０とが、長辺方向に並んで設けられる。また、機器本体部１において、ＣＰＵ１３１による第１判定プログラム１３４ａの実行により、発光素子１２１ａ／１２２ａにより発光された光の反射光が第１受光素子１２１ｂ／１２２ｂにより受光された場合に、送信機１２に操作者の手が触れたと判定され、第１音声出力制御プログラム１３４ｂの実行により、第１判定プログラム１３４ａの実行により、送信機１２に操作者の手が触れたと判定されない場合に、音声出力部から、音声が出力され、第１判定プログラム１３４ａの実行により、送信機１２に操作者の手が触れたと判定された場合に、第２判定プログラム１３４ｃの実行により、第１送信機１２１又は第２送信機１２２の何れに操作者の手が触れたかが判定され、音声送信制御プログラム１３４ｄの実行により、第２判定プログラム１３４ｃの実行による判定結果に基づいて、操作者の手が触れていない第１送信機１２１又は第２送信機１２２の発光素子１２１ａ／１２２ａから、受信機２に対して、音声信号が送信される。さらに、受信機２において、第２受光素子２１１により、音声送信制御手段により、発光素子１２１ａ／１２２ａから送信された音声信号が受信され、第２音声出力制御手段により、第２受光素子２１１により受信された音声信号に基づく音声が、ヘッドホン２２から出力される。
すなわち、ヘッドホン２２から音声出力を行う場合には、機器本体部１を手に持って使用すれば、音声の出力形態を切り替えるための操作を行わなくても、自動的にヘッドホン２２から音声出力が行われる。一方、内蔵スピーカ９から音声を出力させる場合には、機器本体部１を手に持たずに使用すれば、音声の出力形態を切り替えるための操作を行わなくても、自動的に内蔵スピーカ９から音声出力が行われる。したがって、ワイヤレスヘッドホン及びスピーカからの音声出力が可能な携帯型テレビジョン受像機１００において、音声の出力形態を、ユーザの動作に合わせて自動的に切り替えることが可能となり、音声の出力形態を切り替えるための操作を不必要となって使い勝手を向上させることができる。
【００４５】
また、第１判定プログラム１３４ａの実行により、送信機１２に操作者の手が触れたと判定された場合に、決定プログラム１３４ｅの実行により、第２判定プログラム１３４ｃの実行による判定結果に基づいて、携帯型テレビジョン受像機１００の左右方向が決定され、表示制御プログラム１３４ｆの実行により、決定プログラム１３４ｅの実行により決定された向きに合わせて、表示パネル８に画像が表示される。
したがって、機器本体部１を左手／右手のどちらでも使用することができることとなって、使い勝手が更に向上する。
【００４６】
なお、本発明は、上記実施の形態に限られることなく、本発明の趣旨を逸脱しない範囲において、種々の改良並びに設計の変更を行っても良い。
例えば、音声信号の無線伝送方式は、ＩｒＤＡによる赤外線方式に限られず、例えば、Ｂｌｕｅｔｏｏｔｈ等であっても良い。
また、第１判定プログラム１３４ａの実行により、送信機１２に操作者の手が触れたと判定された場合に、第２判定プログラム１３４ｃの実行により、第１送信機１２１又は第２送信機１２２の何れに操作者の手が触れたかが判定され、操作者の手が触れていない方の発光素子１２１ａ／１２２ａから音声信号を出力させる構成としたが、第２判定プログラム１３４ｃの実行により、第１送信機１２１又は第２送信機１２２の何れに操作者の手が触れたかを判定せずに、両方の発光素子１２１ａ、１２２ａから音声信号を出力させる構成であっても良い。
【図面の簡単な説明】
【００４７】
【図１】本実施形態の携帯型テレビジョン受像機の全体構成を示す図である。
【図２】ヘッドホン使用時における携帯型テレビジョン受像機の使用例を示す図である。
【図３】機器本体部の要部構成を例示するブロック図である。
【図４】右手モード／左手モード設定時において表示パネルに表示される映像を例示する図である。
【図５】操作設定テーブルを例示する図である。
【図６】受信機の要部構成を例示するブロック図である。
【符号の説明】
【００４８】
１００    携帯型テレビジョン受像機（携帯端末機器）
１        機器本体部
８        表示パネル
９        内蔵スピーカ（音声出力部）
１０      操作部
１２      送信機
１２１    第１送信機
１２１ａ  発光素子
１２１ｂ  第１受光素子（受光素子）
１２２    第２送信機
１２２ａ  発光素子
１２２ｂ  第１受光素子
１３１    ＣＰＵ（第１判定手段、第１音声出力制御手段、第２判定手段、音声送信制御手段、決定手段、表示制御手段）
１３４ａ  第１判定プログラム（第１判定手段）
１３４ｂ  第１音声出力制御プログラム（第１音声出力制御手段）
１３４ｃ  第２判定プログラム（第２判定手段）
１３４ｄ  音声送信制御プログラム（音声送信制御手段）
１３４ｅ  決定プログラム（決定手段）
１３４ｆ  表示制御プログラム（表示制御手段）
２        受信機
２１１    第２受光素子（受信手段）
２２      ヘッドホン
２１３１  ＣＰＵ（第２音声出力制御手段）
２１３３  第２音声出力制御プログラム（第２音声出力制御手段）
【図１】
2008301061.tif 000003
【図２】
2008301061.tif 000004
【図３】
2008301061.tif 000005
【図４】
2008301061.tif 000006
【図５】
2008301061.tif 000007
【図６】
2008301061.tif 000008